(57)【要約】【課題】映像データに基づく異常行動の有無検出の試験を容易に行なえる異常検出システムの提供。【解決手段】検出対象範囲に設置した監視カメラ１の映像データの入出力および映像データの記憶機能を有する映像記憶装置２と、映像データにより異常行動を検知するとともに、検知結果信号を出力する映像解析装置３とを備えた異常検出システムにおいて、映像記憶装置２に予め記憶される少なくともひとつの異常行動の映像データと、監視カメラ１からの映像データと映像記憶装置２内に記憶した異常行動の映像データを選択するスイッチ５とを備えたものである。【選択図】図１
2008139989.tif 000002
【特許請求の範囲】
【請求項１】
検出対象範囲に設置した監視カメラと、この監視カメラからの映像データの入出力および映像データの記憶機能を有する映像記憶装置と、前記映像データにより異常行動を検知するとともに、検知結果信号を出力する映像解析装置とを備えた異常検出システムにおいて、
前記映像記憶装置に予め記憶される少なくともひとつの異常行動の映像データと、
前記監視カメラからの映像データと前記映像記憶装置内に記憶した異常行動の映像データを選択するスイッチとを備えたことを特徴とする異常検出システム。
【発明の詳細な説明】
【技術分野】
【０００１】
本発明は、異常検出システムに係り、特に異常検出の動作確認に好適な異常検出システムに関する。
【背景技術】
【０００２】
従来、エレベーターの乗かご内のモニタによる画像信号から乗かご内の乗客の画像データを抽出して、このデータを複数の異なった条件のもとで分析して複数の異常徴候係数を求め、これら複数の係数の相関によって乗かご内での犯罪等発生の可能性を判定する技術が提案されている（特許文献１参照）。
【特許文献１】特開昭６１−１１９５８０号公報（特許請求の範囲参照）
【発明の開示】
【発明が解決しようとする課題】
【０００３】
従来の異常検出システムは、保全作業時の機能点検方法について記述はなく、一般的方法として異常検出システムの機能点検は、保守作業員が監視カメラの前で、実際に起こりうると推定する異常動作と同様の動作を実施することにより確認を行っている。
【０００４】
しかし、前記方法によれば異常動作と同様の動作は、定期的に実施する機能点検時において、毎回一定の動作とすることは困難であるという問題がある。
【０００５】
また、前記方法では、異常検出システムの異常検出能力が低下したとしても、一定の基準となる動作を決定できないため、検出することは困難であるという問題がある。
【０００６】
さらに、異常検出システムが、複数の異常行動に対し、別個に異常信号を検出する場合は、保守作業員は監視カメラの前で実際に起こりうると推定する異常動作と同様の動作をそれぞれの異常信号に対して実施しなければならないという問題がある。
【０００７】
本発明の目的は、映像データに基づく異常行動の有無検出の試験を容易に行なえる異常検出システムを提供することにある。
【課題を解決するための手段】
【０００８】
上記目的を達成するために、検出対象範囲に設置した監視カメラと、この監視カメラからの映像データの入出力および映像データの記憶機能を有する映像記憶装置と、前記映像データにより異常行動を検知するとともに、検知結果信号を出力する映像解析装置とを備えた異常検出システムにおいて、前記映像記憶装置に予め記憶される少なくともひとつの異常行動の映像データと、前記監視カメラからの映像データと前記映像記憶装置内に記憶した異常行動の映像データを選択するスイッチとを備えたものである。
【発明の効果】
【０００９】
本発明によれば、スイッチの操作により、映像記憶装置に予め記憶される異常行動の映像データに基づいて、映像解析装置を作動させることにより、異常検出の試験を行なうことができるので、映像データを用いた異常検出システムの信頼性を維持できるとともに、顧客へ納得できる説明が行なえる。
【発明を実施するための最良の形態】
【００１０】
以下、本発明の一実施形態を図１、図２を用いて説明する。
【００１１】
図１は本発明の一実施形態の構成を説明するブロック図で、図２は本発明の一実施形態の動作を説明するフローチャートである。
【００１２】
図１において、１は監視カメラ、２は映像記憶装置、３は映像解析装置、４は異常状態送信端末、５はスイッチ、６はエレベーター乗りかご、７はエレベーター主ロープである。
【００１３】
監視カメラ１は、エレベーター乗りかご６の内部映像を映像データに変換し、映像記憶装置２に送信する。
【００１４】
映像記憶装置２は、監視カメラ１から映像データを受け取るとともに、映像解析装置３が異常を検出する異常検出映像データを予め記憶させておき、スイッチ５を操作すると、映像解析装置３へ送信する映像データを監視カメラ１のものから映像記憶装置２予め記憶した映像データに切替える。
【００１５】
また、映像解析装置３は送信される映像データに基づいて異常検出の処理を行い、異常と判定した場合は、異常状態送信端末４に異常信号を送信し、異常状態送信端末４は、異常の判定結果を映像表示・音声表示等、人の検知できる手段に情報を変換して、当該情報を図示しない映像モニター装置や図示しないパーソナルコンピューターヘ送信するものである。
【００１６】
次に、図２のフローチャートにより、本実施形態の動作の説明を行なう。
【００１７】
まず、スイッチ５の状態を確認し（ステップＳｌ）、スイッチ５がＯＦＦの場合は、通常の検出状態となる（ステップＳ２）。ステップＳ２では、監視カメラ１の映橡データは、映像記憶装置２を経由して映像解析装置３へ入力され、エレベーター乗りかご６の異常行動の解析を行い、異常を検知した場合は、異常状態送信端末４に対し異常信号を送信し、異常状態送信端末４は、映像表示・音声表示など、人の検知できる手段に情報を変換し各所に異常状態であることを報知する。
【００１８】
次に、ステップＳｌでスイッチ５がＯＮの場合、映像記憶装置２は予め記憶している異常検出映像データを映像解析装置３へ出力する（ステップＳ３）。
【００１９】
異常検出映像データを入力した映像解析装置３は、異常行動の解析を行い異常検出の有無を確認し（ステップＳ４）、異常検出映像データの映像が異常なしと判定した場合は、映像解析装置３に異常があると判定し、映像解析装置３の検査が必要である旨の対応を行なう（ステップＳ５）。
【００２０】
また、ステップＳ４で、異常検出映像データの映像が異常であると判定した映像解析装置３は、異常状態送信端末４へ異常の判定結果を送信し、異常状態送信端末４は、異常の判定結果を映像表示・音声表示等、人の検知できる手段に情報を変換し、図示しない映像モニター装置や通信回線を介して接続される図示しないパーソナルコンピューター等へ、異常状態であることを伝達・表示する（ステップＳ６）。
【００２１】
次に、ステップＳ６で、映像解析装置３が異常状態送信端末４へ異常の判定結果を送信すると、再度スイッチ５の状態を確認し（ステップＳ７）、スイッチ５がＯＮの場合は、異常状態の検出を継続する（ステップＳ８）。ここで、ステップＳ８では、映像解析装置３は異常状態送信端末４へ異常状態の判定結果の出力を継続し、異常状態送信端末４は異常の判定結果の送信を継続する。
【００２２】
また、ステップＳ７で、スイッチ５がＯＦＦの場合、映像解析装置３は監視カメラ１の映像データを受け取るため通常状態に戻り、監視カメラ１が撮影した映像データは映像記憶装置２を経由して映像解析装置３へ入力され、異常状態送信端末４は異常の判定結果の送信を終了させ、通常の検出状態に戻る。
【００２３】
本実施形態によれば、スイッチ５の操作で試験モードに切替え、映像記憶装置２予め記憶した映像データを映像解析装置３へ送信することで、映像解析装置３の試験が行なえ、異常状態送信端末４を介してその試験結果を表示するので、映像解析装置３の試験が容易に行え、その結果も誰もが理解できる状態で表示される。
【００２４】
本実施形態では、映像記憶装置２が予め記憶した映像データは異常検出する１種類の映像データでの説明を行なったが、映像記憶装置２へ異常検出しない映像データ、異常検出の閾値近傍の映像データ、異常検出する映像データ等、複数記憶させ、スイッチ５でこれらの映像データを選択できるようにすれば、映像解析装置３に関する高精度の試験が行なえる。
【００２５】
また、本実施形態では、スイッチ５のＯＮで、映像記憶装置２に予め記憶している異常検出映像データを映像解析装置３へ出力して映像解析装置３の試験を行なうように説明したが、異常検出映像データを携帯電話やパーソナルコンピューターから映像解析装置３へ送信させても良く、通信回線を介して遠隔的に映像解析装置３へ送信させても同様なる効果が得られる。
【図面の簡単な説明】
【００２６】
【図１】本発明の一実施形態の構成を説明するブロック図である。
【図２】本発明の一実施形態の動作を説明するフローチャートである。
【符号の説明】
【００２７】
１  監視カメラ
２  映像記憶装置
３  映像解析装置
４  異常状態送信端末
５  スイッチ
６  乗りかご
【図１】
2008139989.tif 000003
【図２】
2008139989.tif 000004